(57)【要約】  本考案は、磁石を用いて本体眼鏡に開閉可能に固定される補助眼鏡及び本体眼鏡を有する眼鏡組立体を開示する。  補助眼鏡が本体眼鏡の前面で開放可能に固定されるとき、補助眼鏡の開放状態を保つ磁石と、補助眼鏡が本体眼鏡の前面で閉鎖化のに固定されるとき、補助眼鏡の閉鎖状態を保つ磁石をそれぞれ構成することで、本体眼鏡と補助眼鏡との間の結合力を増加させることができる。
0003132646.tif 000002
【実用新案登録請求の範囲】
【請求項１】
磁石のヒンジ機能を用いて選択的に開閉可能に構成した補助眼鏡及び本体眼鏡を備える磁石組立体の磁石構造において、
直方形のバー（bar）状に構成し、補助眼鏡の閉鎖磁石（ｃ）を磁石ヒンジ部（１００）の下面に位置した閉鎖ヒンジ部上に装着し、補助眼鏡の開放磁石（ｐ）を本体眼鏡に向かう開放ヒンジ部上に装着する補助眼鏡のレンズ枠より突設された磁石ヒンジ部（１００）と、
補助眼鏡の閉鎖磁石（ｃ）が載置されて固定された対応面上に装着される本体眼鏡の閉鎖磁石（ｃ’）を有し、本体眼鏡の内側において下方に向かって所定の角度で折曲形成された折曲部上に装着される本体眼鏡の開放磁石（ｐ’）を有する磁石部（３００）と、を含むことを特徴とするヒンジ機能を用いた補助眼鏡付きの眼鏡組立体の磁石構造。
【考案の詳細な説明】
【技術分野】
【０００１】
本考案は、磁石のヒンジ機能を用いて本体眼鏡との着脱が可能であり、かつ前面で開閉可能に形成されている補助眼鏡付きの眼鏡組立体の磁石構造に関する。
【背景技術】
【０００２】
このような技術と関連し、本願の出願人兼考案者はこれまで多様に試みてきた。
【０００３】
図１に示したように、韓国実用新案登録出願第２００２−３１８３１号は、本体眼鏡のレンズ枠１２に形成された本体磁石挿入部１３を有する本体眼鏡１０と、補助眼鏡のレンズ枠２２に形成され、前記本体眼鏡の磁石挿入部１３に対応するように補助眼鏡のレンズ枠２２に形成された磁石ヒンジ部２３を有する補助磁石と、を含むことを特徴とする磁石のヒンジ機能を用いた補助眼鏡付きの眼鏡組立体を開示している。
【０００４】
また、韓国実用新案登録出願第２００１−３６８９６号は、本体眼鏡のレンズ枠の上端部を水平に連結して中心部に本体磁石が挿設される本体眼鏡のレンズ連結棒を有する本体眼鏡と、補助眼鏡のレンズ枠の上端部を水平に連結する補助眼鏡連結棒と、水平部と、該水平部と垂直方向の上方に折曲形成された折曲部と、前記水平部及び折曲部に補助磁石を挿装する補助磁石とを備える補助眼鏡と、を含むことを特徴とする磁石を用いた着脱及び正面開閉が容易である補助眼鏡付きの眼鏡組立体に開示する。
【考案の開示】
【考案が解決しようとする課題】
【０００５】
前記のような従来の技術で用いられた磁石は、作動面では全く問題がないが、活動量の多いユーザの要求に応じて磁石同士の結合力を高めることで補助眼鏡の開閉時本体眼鏡と補助眼鏡との固定力を高めて使い勝手の向上を図ることが求められている。
【課題を解決するための手段】
【０００６】
従って、本考案は前述のような従来の問題点を解消するために案出されたもので、その目的は磁石のヒンジ機能を用いて前面開閉が可能である補助眼鏡付きの眼鏡組立体を提供することにある。つまり、本考案による眼鏡組立体は、補助眼鏡の開放時に相互結合される開放磁石と、閉鎖時に相互結合される閉鎖磁石とを有することにより、本体磁石と補助磁石との結合時の磁力の持続力を高めることで、活動的なユーザが本考案の眼鏡を着用しても何等の無理なしに固定状態が保たれるようになる。
【考案を実施するための最良の形態】
【０００７】
図１は従来の技術による眼鏡を示す斜視図で、図２は従来の技術による眼鏡を示す断面図で、図３は従来の技術による眼鏡の組立状態を示す斜視図で、図４は本考案による補助眼鏡を示す斜視図で、図５は本考案による本体眼鏡を示す平面図で、図６は本考案による本体眼鏡を示す拡大平面図で、図７は本考案による眼鏡の作動状態を示す図で、図８は本考案による補助眼鏡を示す正面図及び平面図で、図９は本考案による眼鏡の使用状態を示す図であり、図１０は本考案による眼鏡を示す斜視図である。
【０００８】
次に、本考案によるヒンジ機能を用いた補助眼鏡及び本体眼鏡を有する眼鏡組立体の前面開閉状態について説明する。
【０００９】
図１乃至図３に示したように、本体磁石１３ｍが本体磁石部１３に挿入されている本体眼鏡１０のレンズ枠１２の上端部より突設された本体磁石部１３の上面１３ａと、これに対応する補助眼鏡２０のレンズ枠２２の一端部から本体眼鏡側へ折曲形成された磁石ヒンジ部２３において、眼鏡内側において水平に突出されている部分である閉鎖ヒンジ側２３ａに挿設された閉鎖磁石２３ｍが本体磁石部１３の上面１３ａ及び相互磁石により反応して結合されると、補助眼鏡２０は本体眼鏡１０のレンズ枠１２に掛けられた形態で閉鎖状態を保つようになる。図２及び図３に示したように、補助眼鏡２０が本体眼鏡に正面で閉められて結合された状態で、補助眼鏡２０を強制に持ち上げると、本体磁石１３ｍが挿入されている本体磁石部１３の上面１３ａ及び補助眼鏡のレンズ枠２２の磁石ヒンジ部２３の閉鎖ヒンジ部２３ａとの間の結合力が解除され、これと同時に本体磁石部１３を取り囲みながら折曲形成された開放ヒンジ部２３ｂが本体磁石部１３の底面１３ｂに接近進入し、その結果本体眼鏡１０の本体磁石部１３の底面１３ｂに本体磁石１３ｍと、補助眼鏡２０の磁石ヒンジ部２３の開放ヒンジ部２３ｂに装着された開放磁石２３ｍ’の磁力とが反応して結合されることにより、本体眼鏡１０の上端に開放自在に補助眼鏡２０が固定される。
【００１０】
逆に、補助眼鏡２０が開放された状態において、力を加えて補助眼鏡を本体眼鏡１０の前面方向へ下げると、閉鎖磁石２３ｍの結合力はユーザの力により解除され、これと同時に補助眼鏡の磁石ヒンジ部２３の閉鎖ヒンジ部２３ａが本体眼鏡１０の本体磁石部１３の上面１３ａへ折り曲げられながら接近するようになって、その結果、本体眼鏡の本体磁石部１３の本体磁石１３ｍと補助眼鏡の磁石ヒンジ部２３の閉鎖ヒンジ部２３ａの閉鎖磁石２３ｍとが相互結合されて本体眼鏡１０の前面で補助眼鏡２０が閉鎖自在に固定される。
【００１１】
前述したように、大部分の眼鏡組立体は、磁石のヒンジ機能を用いて開閉させる補助眼鏡及び本体眼鏡を具備しているが、本考案では本体眼鏡の磁石と、補助眼鏡の磁石とを結合させるために、開放時及び閉鎖時に作動する磁石をそれぞれ区分して閉鎖時に作動する補助眼鏡の閉鎖磁石ｃ、本体眼鏡の閉鎖磁石ｃ’をそれぞれ構成し、開放時に作動する補助眼鏡の開放磁石ｐ、本体眼鏡の開放磁石ｐ’をそれぞれ補助眼鏡枠の磁石ヒンジ部１００と本体眼鏡の磁石部３００に装着することにより、補助眼鏡の開放によって使い分けることができるので、磁石の固定力向上及び磁石寿命延長を図ることができる。
【００１２】
以下、図４乃至図１１を参照して本考案による磁石の構造及び作用について詳細に説明する。
【００１３】
図４及び図８に示したように、補助眼鏡のレンズ枠の磁石ヒンジ部１００を直方形のバー（bar）状に設け、補助眼鏡の閉鎖磁石ｃを磁石ヒンジ部１００の下面に位置した閉鎖ヒンジ部に装着し、補助眼鏡の開放磁石ｐを本体眼鏡に向かう開放ヒンジ部に装着する。
【００１４】
図５及び図９に示したように、従来の技術による眼鏡組立体が補助眼鏡の開閉に関係なく補助磁石と結合される単一の本体磁石を備えていることと異なり、本考案による補助眼鏡のレンズ枠の磁石ヒンジ部１００と結合される本体眼鏡の磁石部３００は、閉鎖磁石ｃが載置されて固定された対応面上に装着される本体眼鏡の閉鎖磁石ｃ’と、本体眼鏡の内側において下方に向かって所定の角度で折曲形成された折曲部上に装着される本体眼鏡の開放磁石（ｐ’）とを含む。
【００１５】
従って、図６、図１０、及び図１１に示したように、補助眼鏡の閉鎖磁石ｃは磁石ヒンジ部１００の下面に装着され、本体眼鏡の閉鎖磁石ｃ’に載置されて固定されるもので、この際、補助眼鏡の開放磁石ｐは本体眼鏡の内側に向けて設けられる。
【００１６】
図７、図１０及び図１１に示したように、補助眼鏡を持ち上げると、閉鎖時に相互結合される二つの磁石ｃ、ｃ’間の結合力が解除されるとともに、補助眼鏡の磁石ヒンジ部１００が全体として折り曲げられて押し込まれ、このため補助眼鏡の閉鎖磁石ｐは本体眼鏡の磁石部３００の内側へ折曲形成された折曲部上に装着される本体眼鏡の開放磁石ｐ’と結合されることで、補助眼鏡が開放されるようになる。
【産業上の利用可能性】
【００１７】
前述のような本考案によるヒンジ機能を用いた補助眼鏡付きの眼鏡組立体の磁石構造によれば、開放及び閉鎖作用時に作用する一対の磁石を設けることで、同一の磁石同士だけ持続的に相互作用することにより、磁力を長期間保つことができるのみならず、固定力を高めるという効果がある。従って、このような補助眼鏡を有する眼鏡を着用すると、活動量の多いユーザに使用上の便宜を提供することができる。
【図面の簡単な説明】
【００１８】
【図１】従来の技術による眼鏡を示す斜視図である。
【図２】従来の技術による眼鏡を示す断面図である。
【図３】従来の技術による眼鏡の組立状態を示す斜視図である。
【図４】本考案による補助眼鏡を示す斜視図である。
【図５】本考案による本体眼鏡を示す平面図である。
【図６】本考案による本体眼鏡を示す拡大平面図である。
【図７】本考案による眼鏡の作動状態を示す図である。
【図８】本考案による補助眼鏡を示す正面図及び平面図である。
【図９】本考案による眼鏡の使用状態を示す図である。
【図１０】本考案による眼鏡を示す斜視図である。
【符号の説明】
【００１９】
ｃ      補助眼鏡の閉鎖磁石
ｃ’    本体眼鏡の閉鎖磁石
ｐ      補助眼鏡の開放磁石
ｐ’    本体眼鏡の閉鎖磁石
１００  磁石ヒンジ部
３００  磁石部
【図１】
0003132646.tif 000003
【図２】
0003132646.tif 000004
【図３】
0003132646.tif 000005
【図４】
0003132646.tif 000006
【図５】
0003132646.tif 000007
【図６】
0003132646.tif 000008
【図７】
0003132646.tif 000009
【図８】
0003132646.tif 000010
【図９】
0003132646.tif 000011
【図１０】
0003132646.tif 000012
【図１１】
0003132646.tif 000013